(57)【要約】【課題】災害時には、種々の危険が存在するため、安全靴を履いて避難すれば危険は回避できるが、一般の人は安全靴自体を所有していないので無理である。また、旅館等では災害に遭遇した場合用に、安全靴を準備しておくことも考えられるが、各人の靴のサイズが多種であり、そのように多数の準備をしておくことは経済的にも場所的にも難しい。さらに、夜の災害時に停電した場合、その靴を探すことも難しいことも多い。そこで、安価でフリーサイズ、さらに安全性の高い履き物を提供する。【解決手段】スリッパ型履き物であって、前部カバー部がＪＩＳＴ８１０１に規定される安全靴のＳ種規格の性能を満足するものであって、足の踵に掛けて脱げ止めの役目を果たすベルトが設けられており、そのベルトの固定位置は可変であるもの。【選択図】  図１
2010057849.tif 000002
【特許請求の範囲】
【請求項１】
スリッパ型履き物であって、前部カバー部がＪＩＳＴ８１０１に規定される安全靴のＳ種規格の性能を満足するものであって、足の踵に掛けて脱げ止めの役目を果たすベルトが設けられており、そのベルトの固定位置は可変であることを特徴とする履き物。
【発明の詳細な説明】
【技術分野】
【０００１】
本発明は、履き物に関するものである。
【背景技術】
【０００２】
地震等の場合、まず避難することが大切であるが、落下したガラスや陶器が破損し、それが足下に散乱していることが多い。また、余震によって再度上方から物が落下したり、転倒して足の甲に当たる場合もある。
【０００３】
注意して歩いても避けることは難しいが、夜で停電した後等では不可能である。よって、足を怪我することが多い。
【０００４】
このようなことを防止するため、安全靴を履いて避難すれば上記のような危険は回避できるが、一般の人は安全靴自体を所有していないので無理である。
【０００５】
また、旅館等では災害に遭遇した場合用に、安全靴を準備しておくことも考えられるが、各人の靴のサイズが多種であり、そのように多数の準備をしておくことは経済的にも場所的にも難しい。
【０００６】
さらに、夜の災害時に停電した場合、その靴を探すことも難しいことも多い。
【発明の開示】
【発明が解決しようとする課題】
【０００７】
そこで、安価でフリーサイズ、さらに安全性の高い履き物を提供する。
【課題を解決するための手段】
【０００８】
このような現状に鑑み、本発明者は鋭意研究の結果本発明履き物を完成したものであり、その特徴とするところは、スリッパ型履き物であって、前部カバー部が少なくともＪＩＳＴ８１０１に規定される安全靴のＬ種規格の性能を満足するものであって、足の踵に掛けて脱げ止めの役目を果たすベルトが設けられており、そのベルトの固定位置は可変である点にある。
【０００９】
スリッパ型とは、履いたとき足のつま先部分は完全にカバーし、その他の部分はカバーしないタイプである。
【００１０】
前部カバー部とは、上記したつま先をカバーする部分である。
【００１１】
このカバー部が、ＪＩＳＴ８１０１に規定される安全靴のＬ種規格の性能を満足するものである。Ｌ種規格とは、軽作業用の規格であり、圧迫荷重４．５ＫＮに耐えるものである。本発明では、最低限これ以上は必要ということであり、Ｓ種（普通作業用）、Ｈ種（重作業用）を満足する方が好ましい。
【００１２】
前部カバーが、上記の強度を持つためには、カバー部に鉄板を入れることが普通であるが、強化プラスチックでもその性能がでれば問題はない。要するに所定の強度が出ればよい。カバー部自体は皮革、人工皮革製が好適であるが、布製でもよい。強度と安全性からは皮革が好ましい。
【００１３】
本発明でいうベルトとは、前部カバー部又は底部に固着され、足の踵に引っかけることができる紐又は帯状のものをいう。底部も前記した前部カバー部と同様の材質でよい。脱げることをより防止するには、ゴム製にしてもよい。
【００１４】
このベルトの固着の方法は、面ファスナーやホック等で固定位置を変えることができるようにする。例えば、ベルトと前部カバー部等に面ファスナーを固着し、ベルトの種々の位置で固定できるようにするのが最も便利である。また、ベルトの複数の位置にホックを設けてそれと係合可能なホックを前部カバー部等に固着しておいてもよい。
【００１５】
このようにベルトの固定位置が変更できるようにすれば、足のサイズの異なる人もきっちりと固定できる。そのため、不特定多数の人のものを準備しておく旅館等では、種々のサイズのものを揃える必要がなく経済的である。
【００１６】
ベルトはどのような形状でもよく、本数も１本でも複数でもよい。複数あればより脱げにくい。
【００１７】
また、底部にも鉄板やプラスチック板を入れてもよい。災害時では割れたガラスや釘等が落下していることが多く、それらを踏んだときに足を保護するためである。
【００１８】
災害時、夜間の停電に等でもすぐに見つけられるように、靴の一部に発光、蓄光、夜光塗料を塗布しておいてもよい。
【発明の効果】
【００１９】
本発明には、以下のような効果がある。
（１）  災害時にすぐに履けて、危険な場所でも安全である。
（２）  ベルトが種々のサイズで固定できるたん、ほとんどの大人は同じサイズが使用できる。即ち、旅館その他の所では、同じものを多数準備しておくだけでほとんどの人が履ける。普通サイズ、子供用、特別大きな人用の３種程度で十分である。
（３）  災害時でなく、通常の時に履くこともできる。
（４）  軽作業、例えば室内での内装工事等の場合にも安全で便利である。
【発明を実施するための最良の形態】
【００２０】
以下実施例に従って本発明をより詳細に説明する。
【実施例】
【００２１】
図１は、本発明履き物１の１例を示す側面図である。底部２の前方に前部カバー部３が設けられている。この前部カバー部３の側面の両側（この図では手前しか見えていない）に面ファスナー４が固着されている。この図では大きなファスナーにしているが、これはベルトにあたる部分のみにしてもよい。この面ファスナー４と固着できる面ファスナーを内側に固着されたベルト５が履いたときに足の踵の後ろを回って掛けることができるように固着されている。
【００２２】
このベルト５は、面ファスナーで前部カバー部３と固着されているため、自由に着脱ができ、またその位置を変えることができる。これによって、種々の足のサイズに適合できる。
【００２３】
この前部カバー部３には、湾曲した鉄板（図示せず）が内蔵されており、ＪＩＳＴ８１０１に規定される安全靴のＬ種規格の性能を満たしている。
【００２４】
更に、底部２にも鉄板（図示せず）を入れている。これによって、ガラスの破片その他のものが地面や床に落下している場合でも安心して歩くことができる。
【００２５】
図２は、本発明履き物の他の例を示す平面図である。前部カバー部３の中央部に面ファスナー４が固着されている。また、ベルト５は底部２の後部に２本設けられている。これは履いた時に、足を囲むように前部カバー部３の面ファスナー４に固着する。この時ベルトを交差させてもよい。
【００２６】
図２の例で、足の小さい人の場合、ベルト５で固定できればそれでよいが、少しだぶつくようならば、底部２の後部を柔軟にしておいてもよい。そして、足のサイズに合わせて上方に曲げ、その状態でベルトを面ファスナーに固着する。この状態を図３に示す。
このようにすれば小さいサイズの足の人もきっちりと履くことができる。
【００２７】
図４は、図１と同様のものであるが、底部２の左右部６が少し高くなっており、足を挟むようになっている。より安全性を高めるとともに脱げにくくなる。
【図面の簡単な説明】
【００２８】
【図１】本発明履き物の１例を示す側面図である。
【図２】本発明履き物の他の例を示す平面図である。
【図３】図２の例の使用状態を示す側面図である。
【図４】本発明履き物の更に他の例を示す側面図である。
【符号の説明】
【００２９】
１  本発明履き物
２  底部
３  前部カバー部
４  面ファスナー
５  ベルト
６  左右部
【図１】
2010057849.tif 000003
【図２】
2010057849.tif 000004
【図３】
2010057849.tif 000005
【図４】
2010057849.tif 000006